【事件の表示】
　特許第２８３２９８４号　「プリンタ」の特許に対する特許異議の申立てについて、次のとおり決定する。
【結　論】
　訂正を認める。
　特許第２８３２９８４号の特許を維持する。
【理　由】
［１］手続きの経緯
　本件特許第２８３２９８４号発明は、平成１年２月１４日に特許出願され、平成１０年１０月２日にその特許の設定登録がなされ、その後、杉浦正知より特許異議の申立てがなされ、取消理由通知がなされ、その指定期間内である平成１１年１２月２４日に訂正請求がなされたものである。
［２］訂正の適否についての判断
１．訂正の要旨
（１）訂正事項ａ
  特許請求の範囲を次のとおり訂正する。
「【請求項１】移動可能な印字ヘッドを備え、その印字ヘッドの作動に基づき、幅の異なる各種の用紙に印字を行う印字機構部を備えたプリンタにおいて、前記印字機構部に供給される用紙の種類に応じて切換えられ、その切換え操作に伴って用紙の種類の識別信号を発する単一の切換スイッチ（４）と、複数のキャラクターデータを含む各用紙に共通するテスト印字データを記憶するテスト印字データ記憶手段（２２）と、前記用紙の種類に
応じて適宜設定される右マージンに対応する
、前記桁数記憶手段（２３）から読み出した桁数に基づき、前記テスト印字データ記憶手段（２２）からテスト印字データを前記桁数分読み出して印字したときに改行処理を行うように
（２）訂正事項ｂ
　特許明細書の［課題を解決するための手段］の項中の、「応じた一行分の・・・それらに基づいて」（特許公報２頁３欄２３〜２６行）を「応じて適宜設定される右マージンに対応する一行分の桁数を記憶する桁数記憶手段と、テスト印字動作時に、前記切換スイッチからの識別信号に応答して、前記桁数記憶手段から読み出した桁数に基づき、前記テスト印字データ記憶手段からテスト印字データを前記桁数分読み出して印字したときに改行処理を行うように」と訂正する。
（３）訂正事項ｃ
　特許明細書の［実施例］の項中の、「（Ｓ９）」（特許公報３頁５欄７行）を「（Ｓ８）」と訂正する。
（４）訂正事項ｄ
　特許明細書の［発明の効果］の項中の、「適切に設定された印字桁数で改行処理を行いながらテスト印字を施すことができ」（特許公報３頁６欄１４〜１６行）を「適宜設定される右マージン位置で改行処理を行ないながらテスト印字を施すことができ、そのため確実にはみ出し印刷の防止、不要で無駄な余白部を残した印刷の防止をすることができ」と訂正する。
２．訂正の目的、新規事項禁止、拡張変更禁止の各要件の判断
（１）訂正事項ａについて
　本訂正は、願書に添付した明細書又は図面に記載した事項（特に、特許明細書の［発明が解決しようとする課題］の項中の「改行処理を行いながらテスト印字を施す」（特許公報２頁３欄１２行）、同［実施例］の項中の「右端部に無用に多くの余白を残し・・・右端部をはみ出して印字・・・がない」（同３頁５欄２９〜６欄３行）、同「右マージンに対応する桁数・・・６０桁目・・・８０桁目に設定・・・一文字分のキャラクタデータを読出し・・・格納・・・右マージン用桁数ＰＣをディクリメント」（同２頁４欄４８行〜３頁５欄７行）と第２図、同「実施例に限定されるものではなく・・・多段階に切換可能なスイッチを設けると共に、モードフラグを増設し、多数の右マージンを設定可能としてもよい」（同３頁６欄４〜７行）、及び、同「ステップＳ９において前記桁数ＰＣが０になったか否かを判別・・・０でない場合・・・次の一文字のキャラクタデータを・・・格納・・・続行する・・・０と識別された時・・・格納されている桁数ＰＣ分のキャラクタデータに応じて適宜印字ソレノイド８の駆動制御を行うと共に・・・モータ・・に対し制御信号を送出し印字改行処理を行う」（同３頁５欄８〜１７行）、等参照。）の範囲内で一行分の桁数と印字機構部の作動の制御とについて限定且つ明瞭にするものであり、特許請求の範囲の減縮と明瞭でない記載の釈明とを目的とするものであって、上記各要件を満たすものである。
（２）訂正事項ｂ，ｄについて
　本訂正は、訂正事項ａに伴う訂正であり、上記各要件を満たすものである。
（３）訂正事項ｃについて
　本訂正は、明らかな誤記の訂正を目的とするものであり、上記各要件を満たすものである。
３．独立特許要件の判断と訂正の適否のまとめ
　以下に述べるように、訂正後の発明は特許出願の際独立して特許を受けることができない発明とすることはできないことから、上記訂正は、特許法第１２０条の４第２項及び同条第３項で準用する第１２６条第２乃至４項の規定に適合するので、当該訂正を認める。
［３］異議申立についての判断
１．本件請求項１に係る発明
　本件請求項１に係る発明は、訂正明細書及び図面の記載からみて、訂正明細書の特許請求の範囲の請求項１に記載された事項により特定されるとおりのプリンタであると認められる（上記訂正事項ａ参照、以下「本件発明」という。）。
２．取消理由の引用刊行物とその記載事項
　これに対し、当審は、特許法第２９条第２項規定違反を理由とする特許異議申立における全ての証拠を引用刊行物として採用し、取消理由を通知した（下記刊行物１，２は申立人の提出した甲第１，２号証である。）。
　引用刊行物とその記載事項は次のとおりである。
　刊行物１：特開昭６３−２９３０７７号公報
  印字ヘッドの作動に基づき、幅の異なる各種の用紙に印字を行う記録手段ｃを備えたプリンタにおいて、前記記録手段ｃに供給される用紙の種類に応じて紙サイズ信号を発する検知手段ｄと、複数のキャラクターデータを含む各用紙に共通するテスト印字データを記憶する記憶手段ｂと、テスト印字動作時に、前記検知手段ｄからの紙サイズ信号に応答して、前記記憶手段ｂからテスト印字データを読み出して印字を行うように前記印字機構部の作動を制御する制御手段ｅとを備え、該制御手段ｅは、前記紙サイズ信号に応じて用紙情報テーブル９から読み出した用紙の縦と横のサイズデータと、文字パターン発生器１０から読み出した使用する文字フォント・文字幅・文字高とを基に、用紙の記録領域に何文字テストパターンの展開が可能かを算出し、算出した文字数に応じて文字パターン発生器１０から読み出したテストパターン（コード）をページバッファ１１に１頁分書き込み、文字パターン情報に変換してイメージバッファ１２に展開した後、印字出力する制御を行うプリンタ、等が記載されている。
　刊行物２：特開昭６２−１６９６７２号公報
  移動可能な印字装置６３を備え、その印字装置６３の作動に基づき、各種の用紙に印字を行う印字機構部と、印字機構部に供給される用紙の種類を選択し、且つ、選択した用紙の種類に応じたモードとするモード選択スイッチ３７とを備えたプリンタ、等が記載されている。
３．対比・判断
　本件発明と刊行物１記載の発明とを対比するに、後者の、記録手段ｃ、紙サイズ信号、記憶手段ｂ、制御手段ｅ、はそれぞれ前者の、印字機構部、用紙の種類の識別信号、テスト印字データ記憶手段、制御手段、に相当するから、両者は、印字ヘッドの作動に基づき、幅の異なる各種の用紙に印字を行う印字機構部を備えたプリンタにおいて、前記印字機構部に供給される用紙の種類に応じて用紙の種類の識別信号を発する手段と、複数のキャラクターデータを含む各用紙に共通するテスト印字データを記憶するテスト印字データ記憶手段と、テスト印字動作時に、前記識別信号を発する手段からの識別信号に応答して、前記テスト印字データ記憶手段からテスト印字データを読み出して印字を行うように前記印字機構部の作動を制御する制御手段とを備えたことを特徴とするプリンタ、である点で一致し、次の点で相違する。
　相違点１：印字ヘッドについて、前者が移動可能であるのに対し、後者は定かでない点。
　相違点２：識別信号を発する手段について、前者が単一の切換スイッチであるのに対し、後者は検知手段である点。
  相違点３：前者が、用紙の種類に応じて適宜設定される右マージンに対応する一行分の桁数を記憶する桁数記憶手段を備え、桁数記憶手段から読み出した桁数に基づき、テスト印字データ記憶手段からテスト印字データを桁数分読み出して印字したときに改行処理を行うのに対し、後者は、このような桁数記憶手段や改行処理に係る記載がない点。
　相違点１について検討するに、刊行物２記載の移動可能な印字装置６３からみて、この点に格別のものは認められない。
　相違点２について検討するに、刊行物２記載の単一のモード選択スイッチ３７からみて、この点に格別のものは認められない。
　相違点３について検討するに、この点は刊行物２にも記載がない。
  相違点３について、申立人は、刊行物１（甲第１号証）記載の発明では予め一行分の桁数を記憶せず、用紙サイズと文字フォントの幅と高さのデータとから１頁に出力できる文字数を算出しているのであるが、用紙の幅方向に着目すると、用紙の横方向のサイズすなわち印字可能な桁数と文字幅データとによって一行分当りの桁数を算出して桁数毎に改行させる処理が含まれることは明らかであるから、刊行物１記載の発明の頁単位印字処理では切換スイッチからの識別信号に応答してテスト印字データ及び桁数を読み出して印字機構部の作動を制御することが実質的に行われている旨主張している。
　しかし、本件発明では、課題や効果の記載にあるように、移動可能な印字ヘッドでテスト印字するときに、用紙の種類に拘わらず、はみ出し印字を確実に防止できること、且つ、無駄な余白を残さないこと、の両観点から、印字位置にある用紙の右端に対する印字領域の適切な右端を見出して右マージンとして適宜設定し、一行分の桁数はこの適宜設定した右マージンを表現するものであるのに対し、刊行物１記載の発明では、用紙の定められた記録領域の左右幅と文字幅とから一行分に展開できる文字数を算出し、この算出した文字数に対応する一行分の桁数は定められた記録領域の左右幅を表現したものであることから、両者の一行分の桁数が実質的に同じものとは認められず、申立人のこの主張は採用できない。
　そして、本件発明は、相違点３に係る特定事項により、移動可能な印字ヘッドでテスト印字するときに、用紙の種類に拘わらず、桁数記憶手段から読み出した桁数分を処理するだけの簡単な改行処理で、はみ出し印字を確実に防止できながら、しかも、無駄な余白を残さない右マージン位置で改行できるという、明細書記載の作用効果を奏するものであり、刊行物１，２に記載された発明に基づいて当業者が容易に発明をすることができたものであるとは認められない。
［４］むすび
　したがって、特許異議申立の理由及び証拠によっては、本件発明に係る特許を取り消すことはできない。
　また、他に本件発明に係る特許を取り消すべき理由を発見しない。
　よって、結論のとおり決定する。
【異議決定日】
平成１２年２月９日（２０００．２．９）
【訂正の要旨】
（１）訂正事項ａ
　特許請求の範囲を次に訂正する。
「【請求項１】移動可能な印字ヘッドを備え、その印字ヘッドの作動に基づき、幅の異なる各種の用紙に印字を行う印字機構部を備えたプリンタにおいて、前記印字機構部に供給される用紙の種類に応じて切換えられ、その切換え操作に伴って用紙の種類の識別信号を発する単一の切換スイッチ（４）と、複数のキャラクターデータを含む各用紙に共通するテスト印字データを記憶するテスト印字データ記憶手段（２２）と、前記用紙の種類に
応じて適宜設定される右マージンに対応する
、前記桁数記憶手段（２３）から読み出した桁数に基づき、前記テスト印字データ記憶手段（２２）からテスト印字データを前記桁数分読み出して印字したときに改行処理を行うように
（２）訂正事項ｂ
　特許明細書の［課題を解決するための手段］の項中の、「応じた一行分の・・・それらに基づいて」（特許公報２頁３欄２３〜２６行）を「応じて適宜設定される右マージンに対応する一行分の桁数を記憶する桁数記憶手段と、テスト印字動作時に、前記切換スイッチからの識別信号に応答して、前記桁数記憶手段から読み出した桁数に基づき、前記テスト印字データ記憶手段からテスト印字データを前記桁数分読み出して印字したときに改行処理を行うように」と訂正する。
（３）訂正事項ｃ
　特許明細書の［実施例］の項中の、「（Ｓ９）」（特許公報３頁５欄７行）を「（Ｓ８）」と訂正する。
（４）訂正事項ｄ
　特許明細書の［発明の効果］の項中の、「適切に設定された印字桁数で改行処理を行いながらテスト印字を施すことができ」（特許公報３頁６欄１４〜１６行）を「適宜設定される右マージン位置で改行処理を行ないながらテスト印字を施すことができ、そのため確実にはみ出し印刷の防止、不要で無駄な余白部を残した印刷の防止をすることができ」と訂正する。
（５４）【発明の名称】
プリンタ
（５７）【特許請求の範囲】
　【請求項１】移動可能な印字ヘッドを備え、その印字ヘッドの作動に基づき、幅の異なる各種の用紙に印字を行う印字機構部を備えたプリンタにおいて、前記印字機構部に供給される用紙の種類に応じて切換えられ、その切換え操作に伴って用紙の種類の識別信号を発する単一の切換スイッチ（４）と、
　複数のキャラクターデータを含む各用紙に共通するテスト印字データを記憶するテスト印字データ記憶手段（２２）と、
　前記用紙の種類に
応じて適宜設定される右マージンに対応する
　テスト印字動作時に、前記切換スイッチ（４）からの識別信号に応答して
、前記桁数記憶手段（２３）から読み出した桁数に基づき、前記テスト印字データ記憶手段（２２）からテスト印字データを前記桁数分読み出して印字したときに改行処理を行うように
を備えたことを特徴とするプリンタ。
【発明の詳細な説明】
［産業上の利用分野］
　本発明はプリンタ、特にテスト印字可能なプリンタに関するものである。［従来の技術］従来、テスト印字可能なプリンタにおいては、テスト印字命令によって、予めＲＯＭ　等に記憶されたテスト印字データをイメージバッファに転送し、そのイメージバッファに格納された印字データに基づき、印字機構部を作動させて印字用紙にテスト印字を施していた。
［発明が解決しようとする課題］
　ところが、従来のプリンタにおいては、テスト印字を施す用紙が単票用紙であるかそれより幅広の連続用紙であるかにかかわらず、一律にテスト印字データに基づきテスト印字を施していたため、予め定められた一行当りの印字桁数で所定行数にわたって印字するのみで、用紙幅に応じた印字改行処理を行うことができなかった。従って、用紙幅が狭い時には用紙からはみ出して印字が施され、用紙を支持するプラテンが汚れたり、印字機構部やプラテンが破損する等の問題点があった。また、用紙幅が広い時には用紙の端部に無駄な余白を多く残すという問題点があった。
　本発明は上記問題点を解決するためになされたものであって、その目的は用紙の種類に応じて適切に設定された印字桁数で改行処理を行いながらテスト印字を施すことができるプリンタを提供することにある。
［課題を解決するための手段］
　上記課題を解決するために、本発明は、移動可能な印字ヘッドを備え、その印字ヘッドの作動に基づき、幅の異なる各種の用紙に印字を行う印字機構部を備えたプリンタにおいて、前記印字機構部に供給される用紙の種類に応じて切換えられ、その切換え操作に伴って用紙の種類の識別信号を発する単一の切換スイッチと、複数のキャラクターデータを含む各用紙に共通するテスト印字データを記憶するテスト印字データ記憶手段と、前記用紙の種類に
応じて適宜設定される右マージンに対応する
、前記桁数記憶手段から読み出した桁数に基づき、前記テスト印字データ記憶手段からテスト印字データを前記桁数分読み出して印字したときに改行処理を行うように
［作用］
　テスト印字動作時、制御手段は用紙の種類に応じて切換え操作される切換スイッチからの識別信号によって印字機構部に供給される用紙の種類を識別する。そして、制御手段はテスト印字データ記憶手段からテスト印字データを読み出すと共に、桁数記憶手段から用紙の種類に応じた一行分の桁数を読み出し、一行当りの印字桁数が読み出した桁数になるように印字機構部の作動を制御する。
［実施例］
　以下に、本発明を具体化した一実施例を図面に基づいて説明する。
　第１図において、中央処理装置（ＣＰＵ）１はプリンタの制御手段を構成し、ＣＰＵ１には、印字機構部におけるプラテンを回転させるＬＦモータ６、印字ヘッドを搭載したキャリッジをプラテンに添って移動させるＣＲモータ７及び印字ヘッドにおけるインパクトワイヤを駆動する印字ソレノイド８が出力インターフェイス９及び駆動回路１０、１１、１２を介して接続されており、それらに対して　ＣＰＵ１から駆動又は停止等の制御信号が出力される。そして、プラテンに単票用紙や連続用紙等の幅の異なる各種の用紙を支持した状態で上記プラテンに沿って印字ヘッドが移動され、その印字ヘッドが印字データに従って作動されることにより印字が行われる。
　ＣＰＵ１にはリードオンメモリ（ＲＯＭ）２及びランダムアクセスメモリ（ＲＡＭ）３が接続されている。
　ＲＯＭ２には、テスト印字処理ルーチンを含む印字制御プログラムが記憶されたプログラム領域２１、複数のキャラクターデータ（各キャラクタは　２４×２４ドット）からなるテスト印字データが記憶されたテストパターン領域２２及び印字用紙の種類に応じた一行当りの印字桁数ＣＰが記憶されたデータ領域２３等が設けられている。尚、前記テストパターン領域２２はテスト印字データ記憶手段を構成し、また、データ領域２３は桁数記憶手段を構成している。
　ＲＡＭ３には、一行分の印字パターンを記憶するイメージバッファ３１等が設けられている。
　また、前記ＣＰＵ１にはプリンタのパネルに設けられた連単切換スイッチ４及びオンラインスイッチ１３が入力インターフェイス５を介して接続されている。識別手段を構成する連単切換スイッチ４は単票モード及び連票モードを択一的に設定する際には操作され、その操作に伴いプラテンに供給される印字用紙の種類を識別する識別信号をＣＰＵ１に出力する。即ち、印字用紙として単票用紙を使用する場合、連単切換スイッチ４が単票モードに設定（スイッチＯＮ状態）されていると、ＣＰＵ１は印字機構部が単票用紙使用状態にあることを識別する。一方、印字用紙として前記単票用紙より幅広の連続用紙を使用する場合、連単切換スイッチ４が連単モードに設定（スイッチＯＦＦ状態）されていると、ＣＰＵ１は印字機構部が連続用紙使用状態にあることを認識する。
　オンラインスイッチ１３はＣＰＵ１に対しテスト印字の開始を命じる信号を出力する。即ち、オンラインスイッチ１３を押しながらプリンタ電源を投入すると、ＣＰＵ１は、テスト印字処理を実行するようになっている。
　第２図はＣＰＵ１のテスト印字処理手順を示したフローチャートであり、これを参照しながら本プリンタの作用を説明する。
　前記オンラインスイッチ１３を押しながら電源を投入するとＣＰＵ１はテスト印字処理ルーチンに入ると共に、連単切換スイッチ４をアクセスして、印字機構部にセットされている印字用紙が単票用紙か連続用紙かを認識する（Ｓ１）。連単切換スイッチ４がＯＮにされて単票モードが設定されている時には、ＣＰＵ１はＲＡＭ３　においてモードフラグＦＬＧ　を１に設定し（Ｓ２）、連単切換スイッチ４がＯＦＦにされて連票モードが設定されている時には、モードフラグＦＬＧを０に設定する（Ｓ３）。
　次に、ステップＳ４においてモードフラグＦＬＧが１に設定されているか否かが判別される。ＦＬＧが１の場合には単票用紙の幅内にテスト印字が収まるように、ＣＰＵ１は　ＲＯＭ２のデータ領域２３をアクセスして、右マージンに対応する桁数　ＰＣをパイカ文字で６０桁目になるように設定する（Ｓ５）。これに対し、モードフラグＦＬＧが１に設定されていない場合には連続用紙の幅に応じて無駄なく印字が施せるように、ＣＰＵ１は右マージンに対応する桁数ＰＣを８０桁目に設定する（Ｓ６）。
　次に、ＣＰＵ１はテストパターン領域２２から一文字分のキャラクタデータを読出し、これをイメージバッファ３１に格納する（Ｓ７）。また、右マージン用桁数　ＰＣをディクリメントする（
Ｓ８
　そして、ステップＳ９において前記桁数ＰＣが０になったか否かを判別する。桁数ＰＣが０でない場合、プログラムはステップＳ７へ復帰して　ＣＰＵ１は次の一文字のキャラクタデータをイメージバッファ３１に格納するための処理（Ｓ７〜Ｓ８）を続行する。そして、ステップＳ９において桁数ＰＣが０と識別された時、ＣＰＵ１はイメージバッファ３１に格納されている桁数ＰＣ分のキャラクタデータに応じて適宜印字ソレノイド８の駆動制御を行うと共に、ＬＦ　モータ６及び　ＣＲモータ７に対し制御信号を送出し印字改行処理を行う（Ｓ１０）。そして、ステップＳ４に復帰し、改行後のテスト印字処理（Ｓ４〜Ｓ１０）を続行する。
　このように、ＣＰＵ１は上記テスト印字ルーチンに従い、プリンタの電源が切られるまでステップＳ４から　Ｓ１０までの処理を繰り返し処理するため、印字用紙の各行にテスト印字が施され、印字桁数が設定された桁数に達するごとに印字改行処理が繰り返される。
　上記のように本実施例によれば、連単切換スイッチ４を切り換えることによって印字用紙の種類を識別し、その識別された用紙の幅に応じた一行当りの印字桁数を設定して、その印字桁数ごとに改行処理を行いながらテスト印字を施すことができる。従って、幅広の印字用紙の右端部に無用に多くの余白を残したり、幅狭の印字用紙の右端部をはみ出して印字が施され、プラテンを汚したり、インパクトワイヤやプラテンの破損を起こすことがない。
　尚、本発明は上記実施例に限定されるものではなく、連単切換スイッチに替えて多段階に切換可能なスイッチを設けると共に、モードフラグを増設し、多数の右マージンを設定可能としてもよい。また、、識別手段として用紙幅を直接検知して用紙の種類を判別することのできるセンサーを使用してもよい。
　また、インパクトワイヤ式のプリンタ以外のサーマルプリンタやインクジェットプリンタ等においても同等の効果が得られる。
［発明の効果］
　本発明によれば、用紙の種類に応じて
適宜設定される右マージン位置
ができ、そのため確実にはみ出し印刷の防止、不要で無駄な余白部を残した印刷の防止をすることができ、
【図面の簡単な説明】
　第１，２図は本発明を具体化したプリンタの一実施例を示し、第１図は制御回路のブロック図、第２図はテスト印字処理のフローチャートである。
１……制御手段としての　ＣＰＵ、４……識別手段としての連単切換スイッチ、２２……テスト印字データ記憶手段としてのテストパターン領域、２３……桁数記憶手段としてのデータ領域。